【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
生化学センシングに好適なフロー導管システム（１００、２００ａ、２００ｂ）であって、
生化学センシングのための一以上のセンシング領域を含む第一のフローセル導管（１）と、
第一のセレクターバルブ（４）と、
第二のセレクターバルブ（５）と、
前記第一のフローセル導管（１）と前記第一のセレクターバルブ（４）とを流体的に接続する第一の流入／流出導管（２）と、
第一の端部および第二の端部を有する第一の注入導管（６）と、
第一の端部および第二の端部を有する第二の注入導管（７）と、
前記第一および第二の注入導管（６、７）の各々の前記第二の端部と流体的に接続し、これにより流体を前記第一および／または第二の注入導管（６、７）の中に選択的に注入できる流体注入手段（８）と、
前記流体注入手段（８）並びに前記第一および第二のセレクターバルブ（４、５）を制御するための制御ユニット（１０）と、
を含み、
前記第一の注入導管（６）が、その第一の端部において前記バルブレス接合部（９）によって前記第一の流入／流出導管（２）と流体的に接続し、前記第二の注入導管（７）が、その第一の端部において前記バルブレス接合部（９）によって前記第一の流入／流出導管（２）と流体的に接続し、
前記制御ユニット（１０）が、連続して、
（ｉ）前記第一のセレクターバルブ（４）を開き、前記第二のセレクターバルブ（５）を閉じ、そして、前記流体注入手段（８）を起動して、試料流体が前記第一の注入導管（６）および前記第一のセレクターバルブ（４）の中を流れるように、検出される分子を含有する前記試料流体を、前記第一の注入導管（６）の中に注入し、
（ｉｉ）前記第一のセレクターバルブ（４）を閉じ、前記第二のセレクターバルブ（５）を開き、そして、前記流体注入手段（８）を起動して、試料流体が、前記第一の注入導管（６）を通して流れ、前記第一のフローセル導管（１）を通して前記第二のセレクターバルブ（５）に流れるように、検出される分子を含有する前記試料流体を、前記第一の注入導管（６）の中に注入するように構成される、
フロー導管システム。
【請求項２】
前記第一の注入導管（６）および前記第二の注入導管（７）が、各々、バルブレスであり、前記第一のフローセル導管（１）とバルブレス接合部（９）との間の前記第一の流入／流出導管（２）の部分がバルブレスである、
請求項１に記載のフロー導管システム。
【請求項３】
前記流体注入手段（８）が、前記流体注入手段（８）から前記第一および／または第二の注入導管（６、７）の中に注入される流体の容積を制御できる手段を含む、
請求項１または２に記載のフロー導管システム。
【請求項４】
前記流体注入手段（８）が、前記流体注入手段（８）から前記第一および／または第二の注入導管（６、７）の中に注入される流体の速度を制御できる手段を含む、
請求項１〜３の何れか一項に記載のフロー導管システム。
【請求項５】
前記第一のフローセル導管（１）とバルブレス接合部（９）との間の前記第一の流入／流出導管（２）の容積が、１０マイクロリットル未満である、
請求項１〜４の何れか一項に記載のフロー導管システム。
【請求項６】
前記制御ユニット（１０）が、前記流体注入手段（８）を制御することによって、前記流体注入手段（８）から前記第一および／または第二の注入導管（６、７）の中に注入される流体の容積、および前記流体注入手段（８）から前記第一および／または第二の注入導管（６、７）の中に注入される流体の速度を自動的に制御するように構成される、
請求項１〜５の何れか一項に記載のフロー導管システム。
【請求項７】
生化学センシングのための一以上のセンシング領域を含む、前記第一のフローセル導管（１）と流体的に接続する第二のフローセル導管（１’）をさらに含む、
請求項１〜６の何れか一項に記載のフロー導管システム。
【請求項８】
前記第二のフローセル導管（１’）と流体的に接続する第二の流入／流出導管（３）をさらに含み、前記第二の流入／流出導管（３）が前記第二のフローセル導管（１’）と前記第二のセレクターバルブ（５）とを流体的に接続する、
請求項７に記載のフロー導管システム。
【請求項９】
第一の端部および第二の端部を有する第三の注入導管（６’）と、
第一の端部および第二の端部を有する第四の注入導管（７’）と、をさらに含み、
前記流体注入手段（８）が前記第三および第四の注入導管（６’、７’）の各々の前記第二の端部とさらに流体的に接続し、これにより前記流体注入手段（８）が、流体を前記第三および／または第四の注入導管（６’、７’）の中に選択的に注入でき、
前記第三の注入導管（６’）が、その第一の端部においてバルブレス接合部（９’）によって前記第二の流入／流出導管（３）と流体的に接続し、前記第四の注入導管（７’）が、その第一の端部においてバルブレス接合部（９’）によって前記第二の流入／流出導管（３）と流体的に接続する、
請求項７または８に記載のフロー導管システム。
【請求項１０】
前記バルブレス接合部（９、９’）が三方向導管コネクタまたは四方向導管コネクタによって規定される、
請求項１〜９の何れか一項に記載のフロー導管システム。
【請求項１１】
前記バルブレス接合部（９、９’）が四つのＴ状もしくはＹ状の導管コネクタ、またはＨ状の導管コネクタによって規定される、
請求項１〜１０の何れか一項に記載のフロー導管システム。
【請求項１２】
前記バルブレス接合部（９、９’）および前記第一のフローセル導管（１）が、すべて単一カートリッジ（３０）に提供され、
単一カートリッジ（３０）が、固定された部分およびフレキシブルカンチレバー（３１）を含み、
前記フレキシブルカンチレバーが一つの端部において前記固定された部分に取り付けられ、前記固定された部分に対して運動するように屈曲できる自由端部を有し、
前記バルブレス接合部（９、９’）および第一のフローセル導管（１）が前記フレキシブルカンチレバー（３１）に提供され、
前記単一カートリッジが、前記単一カートリッジを前記フロー導管システムに取り外し可能に取り付け可能にするように構成された接続手段を含み、
これにより前記バルブレス接合部（９、９’）および前記第一のフローセル導管（１）を、前記フロー導管システムから選択的に除去できる、
請求項１〜１１の何れか一項に記載のフロー導管システム。
【請求項１３】
請求項１に記載の前記フロー導管システムを使用した、生化学センシングを実行するための方法であって、以下の工程を含む方法、すなわち、
（ａ）前記フロー導管システム（１００、２００ａ、２００ｂ）を緩衝流体で満たす工程と、
（ｂ）前記第一のセレクターバルブ（４）を開き、前記第二のセレクターバルブ（５）を閉じる工程と、
（ｃ）前記流体注入手段（８）を使用して、試料流体が前記第一の注入導管（６）および前記第一のセレクターバルブ（４）の中を流れるように、検出される分子を含有する試料流体を前記第一の注入導管（６）の中に注入する工程と、
（ｄ）前記流体注入手段（８）を使用して、前記緩衝流体を前記第二の注入導管（７）の中に注入し、緩衝流体を前記第二の注入導管（７）に沿って前記第一の流入／流出導管（２）の中に流し、そして前記第一のセレクターバルブ（４）を通して流す工程と、
（ｅ）前記流体注入手段（８）に前記緩衝流体の注入を停止させる工程と、
（ｆ）前記緩衝流体を使用して、前記試料流体の流れを前記第一の注入導管（６）から前記第一の流入／流出導管（２）の中に制限する工程と、
（ｇ）前記第一のセレクターバルブ（４）を閉じ、前記第二のセレクターバルブ（５）を開く工程と、
（ｈ）前記流体注入手段（８）を使用して、検出される分子を含有するより多くの前記試料流体を前記第一の注入導管（６）の中に注入し、これにより前記試料流体を、前記第一のフローセル導管（１）を通すように流す工程と
（ｉ）前記第一のフローセル導管（１）を使用して、前記第一のフローセル導管のセンシング領域に結合した検出される分子の量を検出する工程と、
を含む、
方法。
【請求項１４】
請求項７に記載の前記フロー導管システムを使用した、生化学センシングを実行するための方法であって、以下の工程を含む方法、すなわち、
（ａ）請求項１３の方法の工程（ａ）〜（ｈ）を実行する工程と、
（ｂ）前記試料流体が前記第一のフローセル導管（１）を通り流れるときの、前記試料流体における背景変動をセンシングする工程と、
（ｃ）前記試料流体における背景変動を表す、前記第一のフローセル導管（１）からの信号を出力する工程と、
（ｄ）前記試料流体を前記第二のフローセル導管（１’）を通るように流す工程と、
（ｆ）前記試料流体が前記第二のフローセル導管（１’）を通り流れるときの、前記第二のフローセル導管のセンシング領域に結合した検出される分子の量をセンシングする工程と、
（ｇ）前記第二のフローセル導管のセンシング領域に結合した検出される分子の量を表す、前記第二のフローセル導管（１’）からの信号を出力する工程と、
（ｆ）前記第二のフローセル導管（１’）に出力された信号から、前記第一のフローセル導管（１）によって出力された信号を減じる工程と、
を含む、
方法。
【請求項１５】
請求項９の前記フロー導管システムを使用した、生化学センシングを実行するための方法であって、以下の工程を含む方法、すなわち、
（ａ）前記フロー導管システム（１００、２００ａ、２００ｂ）を緩衝流体で満たす工程と、
（ｂ）前記第一のセレクターバルブ（４）を開く工程と、
（ｃ）前記流体注入手段（８）を使用して、検出される分子を含有する前記試料流体を、前記第一のフローセル導管（１）に最も近接して位置する前記第一のバルブレス接合部によって、その前記第一の端部が前記第一の流入／流出導管（２）に接続された前記注入導管（６、７）の中に注入する工程と、
（ｄ）前記緩衝流体を使用して、前記注入導管（６、７）からの前記試料流体の流れを前記第一の流入／流出導管（２）の中に制限する工程と、
（ｅ）前記流体注入手段（８）を使用して、前記緩衝流体を前記第三または第四の注入導管（６’、７’）のいずれかの中に注入し、前記緩衝流体を前記第二の流入／流出導管（３）に沿って流し、そして前記第二のフローセル導管（１’）を通し、前記第一のフローセル導管（１）を通し、前記セレクターバルブ（４）を通して流す工程と、
（ｆ）前記流体注入手段（８）に前記緩衝流体の注入を停止させる工程と、
（ｇ）前記第一のセレクターバルブ（４）を閉じる工程と、
（ｈ）前記流体注入手段（８）を使用して、検出される分子を含有するより多くの前記試料流体を、工程（ｃ）で使用した前記注入導管（６、７）の中に注入し、これにより前記試料流体を、前記第一のフローセル導管（１）に最も近接して位置する前記バルブレス接合部を介して前記第一のフローセル導管（１）の中に流す工程と、
（ｉ）前記第一のフローセル導管（１）を使用して、前記第一のフローセル導管のセンシング領域に結合した検出される分子の量を検出する工程と、
を含む、
方法。